(57)【要約】【課題】本発明は、スライド片の操作のみで容易にロックおよび解除を可能とし、ロック強度が極めて高く、かつ、サイズの微調整が可能なバックルを提供することを目的とするものである。【解決手段】本発明のスライドアジャスタは、バンド外表面に貫通孔として形成した嵌合凹部にバックルの嵌合凸部を嵌合可能としたバンドとバックルのスライドアジャスタにおいて、スライド片を前記バックルの操作片の上部を水平方向に移動することにより前記嵌合がロックまたは解除され、前記嵌合が解除された状態において前記嵌合凸部が嵌合凹部に一部接触することで、前記バンドをバックルに接近または後退しつつ前記嵌合の位置決めが可能であることを特徴とする。【選択図】図１
2014073221.tif 000002
【特許請求の範囲】
【請求項１】
バンド外表面に貫通孔として形成した嵌合凹部にバックルの嵌合凸部を嵌合可能としたバンドとバックルのスライドアジャスタにおいて、
前記バックルを、対向する底板と天井枠および両者を接続する両側板とからなり内部をバンドの挿通空間としたバックル本体と、前記天井枠の内側に水平設置され、一端部下面に前記バンドの嵌合凹部に嵌合可能な嵌合凸部を有する操作片とから構成すると共に、該操作片を前記両側板を結ぶ連結軸で支承することにより該連結軸を支点として揺動自在とし、
前記操作片の上部を水平方向に移動可能なスライド片が前記バックル本体に設置され、該スライド片を前記操作片の上部を水平方向に移動することにより前記嵌合がロックまたは解除され、前記嵌合が解除された状態において前記嵌合凸部が嵌合凹部に一部接触することで、前記バンドをバックルに接近または後退しつつ前記嵌合の位置決めが可能であることを特徴とするバンドとバックルのスライドアジャスタ。
【請求項２】
前記嵌合凸部が嵌合凹部に嵌合した状態において前記バックルの底板に形成した係合凹部に係合する請求項２記載のスライドアジャスタ。
【請求項３】
前記スライド片が前記操作片の一端部側に移動した状態では前記嵌合がロックされ、前記スライド片が前記操作片の他端部側に移動した状態では前記嵌合が解除される請求項１または２記載のスライドアジャスタ。
【請求項４】
前記スライド片が前記操作片の他端部側に移動した状態では前記嵌合がロックされ、前記スライド片が前記操作片の一端部側に移動した状態では前記嵌合が解除される請求項１または２記載のスライドアジャスタ。
【請求項５】
バンド外表面に形成した鋸歯状の係合溝にバックルの係合爪を係合可能としたバンドとバックルのスライドアジャスタにおいて、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪と前記バンドの嵌合凹部に嵌合可能な嵌合凸部を有する操作片とから構成すると共に、該操作片を前記両側板を結ぶ連結軸で支承することにより該連結軸を支点として揺動自在とし、
前記操作片の上部を水平方向に移動可能なスライド片が前記バックル本体に設置され、該スライド片を前記操作片の上部を水平方向に移動することにより前記係合がロックまたは解除され、前記係合がロックされた状態では前記嵌合凸部が前記嵌合凹部に嵌合することを特徴とするバンドとバックルのスライドアジャスタ。
【請求項６】
前記バンドの外表面に前記バックルとバンドを片手の指先で引き寄せることのできる掛止部を設けた請求項１〜５のいずれかに記載のスライドアジャスタ。
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のためのバックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作片とから構成され、該操作片を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作片の係合・解除における操作性を良くする為に操作片を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作片とから構成すると共に、該操作片を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作片に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。
【０００６】
さらに、実公昭６４−００００８７号公報（特許文献３）には、タングプレートが確実にバックル装置へ係合状態となることができ、この係合状態では乗員がタングプレートの係合を解除する操作をしない限りタングプレートがバックル装置から抜けだされることがなくかつウェビング装置解除時のバックル解離力が低いバックル装置が開示されている。このバックル装置は、ロックバーの作用により確実な係合ができるがサイズの微調整をすることはできない。
【先行技術文献】
【特許文献】
【０００７】
【特許文献１】特許第３９８２９５５号公報
【特許文献２】特許第４００５１０９号公報
【特許文献３】実公昭６４−００００８７号公報
【発明の概要】
【発明が解決しようとする課題】
【０００８】
本発明は、軽量かつ製作が容易であることに加えて、前記操作片に直接作用する押圧力に対してもロック解除を防止することのできるロック機構付きスライドアジャスタを提供するとを目的とするものである。また、本発明はスライド片の操作のみで容易にロックおよび解除を可能とし、ロック強度が極めて高く、かつ、サイズの微調整が可能なスライドアジャスタを提供することを目的とするものである。
【課題を解決するための手段】
【０００９】
本発明のスライドアジャスタは、バンド外表面に貫通孔として形成した嵌合凹部にバックルの嵌合凸部を嵌合可能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの嵌合凹部に嵌合可能な嵌合凸部を有する操作片とから構成すると共に、該操作片を前記両側板を結ぶ連結軸で支承することにより該連結軸を支点として揺動自在とし、前記操作片の上部を水平方向に移動可能なスライド片が前記バックル本体に設置され、該スライド片を前記操作片の上部を水平方向に移動することにより前記嵌合がロックまたは解除され、前記嵌合が解除された状態において前記嵌合凸部が嵌合凹部に一部接触することで、前記バンドをバックルに接近または後退しつつ前記嵌合の位置決めが可能であることを特徴とする。
【００１０】
前記嵌合凸部が嵌合凹部に嵌合した状態において前記バックルの底板に形成した係合凹部に係合することが好ましい。
【００１１】
前記スライド片が前記操作片の一端部側に移動した状態では前記嵌合がロックされ、前記スライド片が前記操作片の他端部側に移動した状態では前記嵌合が解除されることが好ましい。
前記スライド片が前記操作片の他端部側に移動した状態では前記嵌合がロックされ、前記スライド片が前記操作片の一端部側に移動した状態では前記嵌合が解除されることが好ましい。
【００１２】
本発明のスライドアジャスタは、バンド外表面に形成した鋸歯状の係合溝にバックルの係合爪を係合可能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪と前記バンドの嵌合凹部に嵌合可能な嵌合凸部を有する操作片とから構成すると共に、該操作片を前記両側板を結ぶ連結軸で支承することにより該連結軸を支点として揺動自在とし、前記操作片の上部を水平方向に移動可能なスライド片が前記バックル本体に設置され、該スライド片を前記操作片の上部を水平方向に移動することにより前記係合がロックまたは解除され、前記係合がロックされた状態では前記嵌合凸部が前記嵌合凹部に嵌合することを特徴とする。
【００１３】
前記バンドの外表面に前記バックルとバンドを片手の指先で引き寄せることのできる掛止部を設けたことが好ましい。
【発明の効果】
【００１４】
本発明のスライドアジャスタは、前記操作片に直接作用する押圧力に対してもロック解除を防止することができる。また、本発明は、スライド片の操作のみで容易にロックおよび解除が可能である。さらに、ロックが解除された状態において嵌合凸部が嵌合凹部と一部接触することで、嵌合凹部の位置を確認することができるため、サイズの微調整が極めて容易である。従ってこのスライドアジャスタは運動靴等の比較的強い締結力とサイズの微調整を同時に要する製品への適用が最適である。
【図面の簡単な説明】
【００１５】
【図１】本発明のスライドアジャスタを構成するバックル１０の斜視図である。
【図２】本発明のスライドアジャスタの長手方向縦断側面図である。
【図３】スライドアジャスタの他の実施形態を示す要部縦断側面図である。
【図４】バックル１０の別の実施形態を示す斜視図である。
【図５】図４に示すバックル１０にバンド３０を挿入した状態を示す平面図（図５（１））、同図のＡ−Ａ切断線における縦断側面図（図５（２）、（５））および、同図のＢ−Ｂ切断線における縦断側面図（図５（３）、（４））である。
【発明を実施するための形態】
【００１６】
以下、本発明に係るロック機構付きスライドアジャスタの実施形態を、図面に基づいて説明する。
図１はバックル１０の斜視図であり、図１（１）にはバックル１０を構成するスライド片４０がバックル本体１４から上方に分離して図示されている。
【００１７】
図１において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する嵌合凹部を有するバンド３０の挿通空間１６となる。
【００１８】
本実施形態では、底板１１の長手方向（バンドのスライド方向）の長さを天井枠１２の長手方向の長さよりも長くすることにより、バックル１０の被接続体（即ち、運動靴用バンド等）への取付を容易にすると共に、バンド３０の挿通がスムーズに行われるようにしている。また、天井枠１２を偏平な板で構成することによっても同様の効果を得ることができる。
【００１９】
天井枠１２の内側には、その内に納まる大きさの操作片２０が水平に設置される。操作片２０の一端部２０Ａの下面には、バンド３０の嵌合凹部３１に嵌合可能な嵌合凸部２１を突設している。操作片２０は天井枠１２より若干低位置とすることにより、操作片２０の一端部２０Ａまたは他端部２０Ｂが不用意に押し下げられることを防止することができる。
【００２０】
操作片２０の長手方向の中間部には連結軸２５が形成され、この連結軸２５は各側板１３、１３の上部内壁に支承されている。
この実施形態では連結軸２５の断面を円形としたが、楕円形、その他種々の断面形状とすることができる。連結軸２５は操作片２０を揺動自在に軸支すると共に、滑らかな操作性を確保する為に可及的に細くすることが望まれるが、反復的な揺動により破損しない形状、大きさとすれば良い。なお、連結軸２５は側板１３、１３に限らず、対向する天井枠１２の二辺に各々連結されていても、後述する作用と同じ作用を発揮することができる。
【００２１】
連結軸２５の素材に格別の制限はなく、合成樹脂等の弾性を有する素材を使用しても良いし、連結軸２５を金属製としてバックル１０とバンド３０の嵌合強度を上げることもできる。
【００２２】
バックル本体１４には、操作片２０の上部を水平方向に移動可能なスライド片４０が設置される。本実施形態においてスライド片は矩形の形状としたが、必ずしも矩形でなくともよい。
図示しないが、スライド片４０の表面にはスライド操作部を設けることができる。スライド操作部の形状に格別の制限はなく、片手の指先を引っ掛けることのできる形状であれば良い。スライド操作部はスライド片４０に必ずしも設ける必要はないが、これを設けることによりスライド片４０のスライド操作を容易とすることができる。
また、スライド操作部は後記するようにバンド３０とバックル１０を片手で引き寄せるための掛止部として使用することもできる。
【００２３】
また、バックル１０の両側板１３、１３には、スライド片４０の移動をガイドすると共に該スライド片の位置を決めるためのスライドガイド１７、１７が設けられている。図１（２）および（３）は、スライド片４０がスライドガイド１７、１７に沿って動く状態を示した斜視図である。本実施形態において、スライドガイド１７、１７をバックル１０の側板１３、１３に溝部として形成したが、スライド片４０のスムーズな移動をガイドできるものであればスライドガイド１７の位置や形状に格別の制限はない。
【００２４】
続いて、上記スライドアジャスタの作用について図２を参照しながら説明する。図２は本発明のスライドアジャスタの長手方向縦断側面図である。これらの図において、バンド３０の外表面には嵌合凹部３１がバンド３０の外表面から内表面に至る貫通孔として形成されている。
【００２５】
図２（１）に示すように、スライド片４０が操作片２０の他端部２０Ｂ側（図２において左側）に位置するときは、連結軸２５を中心として操作片２０が回転する結果、反対側に位置する嵌合凸部２１が持ち上がり、バンド３０の嵌合凹部３１にバックル１０の嵌合凸部２１が一部接触した状態にある。この状態で、バンド３０を操作片２０の他端部２０Ｂ側の挿通口１５から挿通空間１６内に進入させていくと、バンド３０の外表面が操作片２０の一端部２０Ａを押し上げながら前進する（図２（２）参照。）。また、この状態でバンド３０を後退させれば、バンド３０を進入させた場合と同様にバンド３０の外表面が操作片２０の一端部２０Ａを押し上げながら後退する。前記嵌合凸部２１および嵌合凹部３１の接触は、前記バンド３０の進入と後退をスムーズに行えると共に、後記するように感覚的に嵌合凹部３１の位置を認識できる程度に接触していれば良い。
【００２６】
連結軸２５の素材が合成樹脂その他の弾性を有する素材であれば、バンド３０により一端部２０Ａが押し上げられた操作片２０は合成樹脂の弾性により元の位置、つまり嵌合凹部３１に嵌合凸部２１が一部接触した状態に戻る（図２（３）参照。）。連結軸２５の素材が金属その他の弾性を有しない素材であれば、操作片２０はその自重によりまたはコイルバネ等の別部品を設けた場合は当該部品の作用により元の位置に戻る。
したがって、このようにバンド３０の嵌合凹部３１にバックル１０の嵌合凸部２１が一部接触した状態に戻ることで感覚的に嵌合凹部３１の位置確認が可能となり、バンド３０とバックル１０の接近・離隔位置を調節することができる。
【００２７】
本実施形態ではバンド１０の外表面上に掛止部３５が設けられており、この掛止部３５とバックル本体１４に指を掛けることでバンド３０とバックル１０を片手の指先で引き寄せることが可能である。また、図示しないがバックル本体１４にバンド３０とバックル１０を片手の指先で引き寄せるための掛止部を設けても良い。さらに、前記したようにスライド片４０上にスライド操作部を設けた場合は、これをバンド３０とバックル１０を片手の指先で引き寄せるための掛止部として使用することも可能である。
【００２８】
次に、本発明のスライド片によるロック機構について説明する。
前記の通り図２（３）はバンド３０の嵌合凹部３１とバックル１０の嵌合凸部２１との嵌合が解除された状態を示しているが、このときスライド片４０は操作片の他端部２０Ｂ側に位置しており（図１（３）参照。）、バンド３０とバックル１０の接近・離隔位置を自由に調節可能な状態にある。
ここで、図１（２）に示すようにスライド片４０を操作片２０の一端部２０Ａ側にスライドガイド１７、１７に沿ってスライドさせれば、スライド片４０の下面が操作片２０の一端部２０Ａの上面に当接し、操作片の一端部２０Ａが押し下げられ、嵌合凸部２１が貫通孔として形成される嵌合凹部３１に嵌合する。図２（４）はこの強固なロック状態を示している。
【００２９】
本発明によれば、スライド片４０の操作のみで容易にバンド３０とバックル１０を嵌合したり解除したりすることができる。また、嵌合凸部２１を貫通孔として形成される嵌合凹部３１に嵌合するのでバンド３０とバックル１０の嵌合強度は極めて高い。さらに、嵌合が解除された状態では嵌合凸部２１が嵌合凹部３１に一部接触し、嵌合凹部３１の位置を感覚的に認識しながら片手の指先でバンド３０を進出・後退することができるため、サイズの微調整が極めて容易である。
【００３０】
続いて、スライドアジャスタの他の実施形態について図３を参照しながら説明する。但し、これまで説明した実施形態と同じ部材には同じ符号を付して、その説明を省略する。
図３は本実施形態を示す要部縦断側面図である。これらの図において、バンド３０の外表面には嵌合凹部３１がバンド３０の外表面から内表面に至る貫通孔として形成されると共に、バックル１０の底板１１に係合凹部１１Ａが形成される。
【００３１】
図３（１）に示すように、スライド片４０が操作片２０の一端部２０Ａ側（図３において右側）に位置するときは、連結軸２５を中心として操作片２０が回転する結果、操作片２０の一端部２０Ａ側が持ち上がり、バンド３０の嵌合凹部３１にバックル１０の嵌合凸部２１が一部接触した状態にある。この状態で、バンド３０を操作片２０の他端部２０Ｂ側の挿通口１５から挿通空間１６内に進入させていくと、バンド３０の外表面が操作片２０の一端部２０Ａを押し上げながら前進する（図３（２）参照。）。また、この状態でバンド３０を後退させれば、バンド３０を進入させた場合と同様にバンド３０の外表面が操作片２０の一端部２０Ａを押し上げながら後退する。バンド３０により一端部２０Ａが押し上げられた操作片２０は合成樹脂の弾性等により元の位置、つまり嵌合凹部３１に嵌合凸部２１が一部接触した状態に戻る（図３（３）参照。）
【００３２】
前記の通り図３（３）はバンド３０の嵌合凹部３１とバックルの嵌合凸部２１との嵌合が解除された状態を示しているが、このときスライド片４０は操作片の一端部２０Ａ側に位置しており、バンド３０とバックル１０の接近・離隔位置を自由に調節可能な状態にある。
ここで、スライド片４０を操作片の他端部２０Ｂ側にスライドさせれば操作片２０の他端部２０Ｂ側が持ち上がり、連結軸２５を中心として操作片２０が回転する結果、反対側に位置する嵌合凸部２１が嵌合凹部３１に嵌合すると共に、バックル１０の底板１１に形成された係合凹部１１Ａに係合する。図３（４）はこの強固なロック状態を示す要部縦断側面図である。
本実施形態において係合凹部１１Ａは底板１１を貫通しないものとしたが、ロックをより強固なものとするため係合凹部１１Ａを底板１１の外表面から内表面に至る貫通孔として形成しても良い。
【００３３】
次に、スライドアジャスタの別の実施形態について図４および図５を参照しながら説明する。
図４はバックル１０の斜視図であり、スライド片４０がスライドガイド１７、１７に沿って動く様子を示している。
図５はスライドアジャスタの平面図（図５（１））および縦断側面図（図５（２）〜（５））であり、これらの図において、バンド３０の中央外表面に嵌合凹部３１が設けられると共にバンド３０の両側外表面に鋸歯状の係合溝３３が設けられる。操作片２０の一端部２０Ａ中央には、前記嵌合凹部３１に嵌合可能な嵌合凸部２１が揺動自在に設けられると共に操作片２０の一端部２０Ａ両側には、前記係合溝３３に係合可能な係合爪２３が設けられる。嵌合凹部２１はバンド３０の外表面から内表面に至る貫通孔として形成され、係合溝３３はスライド方向の断面形状が鋸歯状、即ち、バンド３０の進行方向に向けて漸次深くなるテーパ面と、この最深位置より略垂直に立上る壁面とからなっている。
【００３４】
前記嵌合凹部３１と係合溝３３の位置関係および前記嵌合凸部２１と係合爪２３の位置関係に格別の制限はなく、バンド３０の両側外表面に嵌合凹部３１を設けると共にバンド３０の中央外表面に係合溝３３を設け、操作片２０の一端部２０Ａ両側に嵌合凸部２１を揺動自在に設けると共に操作片２０の一端部２０Ａ中央に係合爪２３を設けても良い。
【００３５】
図５（２）は図５（１）のＡ−Ａ切断線における縦断側面図であり、同図に示すようにスライド片４０は操作片２０の中間部に位置しており、バンド３０を操作片の他端部２０Ｂ側（図５において左側）の挿通口１５から挿通空間１６内に進入させていくと、バンド３０の上面が操作片２０の係合爪２３に接触して、操作片２０の一端部２０Ａを押し上げながら前進し、バックル１０に対するバンド３０の接近・離隔位置が調節される。この状態では、係合爪２３が所定の係合溝３３と噛み合って係止しているので、バンド３０はバックル１０に対して進出自在であるが、後退不能である。
【００３６】
前記係合をロックするには、図４（２）に示すようにスライド片４０を操作片２０の一端部２０Ａ側にスライドすると、嵌合凸部２１がスライド片４０により押し下げられる結果、バンド３０の嵌合凹部３１に嵌合する。図５（３）は、図５（１）のＢ−Ｂ切断線における縦断側面図であり、この強固なロック状態を示す図である。
【００３７】
前記ロックを解除するには、図４（１）に示すようにスライド片４０を操作片２０の中間部の位置まで戻せば、スライド片４０の作用により嵌合凸部２１が持ち上がり前記嵌合が解除される。図５（４）は、図５（１）のＢ−Ｂ切断線における縦断側面図であり、嵌合凸部２１が嵌合凹部３１から解除された状態を示す図である。
【００３８】
前記の通り図５（４）はバンド３０の嵌合凹部３１とバックルの嵌合凸部２１との嵌合が解除された状態を示しているが、このときスライド片４０は操作片２０の中間部に位置しており、係合爪２３が所定の係合溝３３と噛み合って係止している（図５（２）参照。）。
ここで、図４（３）に示すようにスライド片２０を操作片２０の他端部２０Ｂ側に移動させると、操作片２０は連結軸２５を中心に回転する結果、反対側に位置する係合爪２３が持ち上がりバンド３０とバックル１０の係合が解除される。図５（５）は、図４のＡ−Ａ切断線における縦断側面図であり、この係合解除状態を示す図である。
【００３９】
本実施形態では、スライド片４０の操作のみで容易に係合爪２３と係合溝３３の係止を解除し、嵌合凸部２１を嵌合凹部３１に嵌合させて前記係合をロックすることが可能である。また、スライド片４０が操作片２０の中間部に位置する状態では、バンド３０はバックル１０に対して進出自在であるが、後退不能とされるのでサイズの微調整を容易に行うことができる。
【００４０】
本発明において天井枠１２は、必ずしも四辺を備えたものに限られない。操作片２０の一端部２０Ａと対向する一辺については、バックルを軽量化、小型化する場合には、これを省略することができる。
【００４１】
本発明のバックル１０には、前記した特許文献１および特許文献２に開示した要素を取り入れることができる。例えば、操作片２０を水平状態に復元し易くするために操作片２０の一端部２０Ａと対向する天井枠１２等とを連結した連結部材を設けても良い（図示せず。）。更に、挿通空間１６にはバンド３０の浮き上がりを防止するためのバンド押え（図示せず。）を設けることも可能である。
【符号の説明】
【００４２】
１０    バックル
１１    底板
１２    天井枠
１３    側板
１４    バックル本体
１６    挿通空間
２０    操作片
２０Ａ  操作片の一端部
２０Ｂ  操作片の他端部
２１    係合凸部
２５    連結軸
３０    バンド
３１    係合凹部
４０    スライド片
【図１】
2014073221.tif 000003
【図２】
2014073221.tif 000004
【図３】
2014073221.tif 000005
【図４】
2014073221.tif 000006
【図５】
2014073221.tif 000007